(57)【要約】  本発明は、携帯端末及びそのインターフェース方法に関し、特に携帯端末にアダプター、ＵＳＢケーブル、ドッキングステーション及びアクセサリーなどのような外部デバイスを連結することに関する。  本発明の一実施例による携帯端末は、バッテリーと；データ通信用ピンと、充電のための第１及び第２電源ピンとを含んでなるコネクタと；前記バッテリーの専用アダプターを示す基準電圧値を格納する格納部と；前記第１及び第２電源ピンから電圧が入力され、前記データ通信用ピンから入力された電圧が前記基準電圧値なら、前記コネクタに連結された外部デバイスを前記専用アダプターとして認識し、前記第１及び第２電源ピンに入力される電源を前記バッテリーに充電するように制御する制御部と；を含む。  本発明の他の実施例による携帯端末は、アクセサリー検出用ピンとアクセサリー識別用ピンとを含んでなるコネクタと；アクセサリー識別のための参照テーブルを格納する格納部と；前記アクセサリー検出用ピンから入力される電圧が変化すれば、前記アクセサリー識別用ピンから入力された電圧と前記参照テーブルを比較し、前記コネクタに連結されたアクセサリーの種類を認識する制御部と；を含む。
2014510491.tif 000002
【特許請求の範囲】
【請求項１】
バッテリーと；
データ通信用ピンと、前記バッテリーの充電のための第１及び第２電源ピンとを含んでなるコネクタと；
前記バッテリーの専用アダプターであることを示す基準電圧値を格納する格納部と；
前記第１及び第２電源ピンから電圧が入力され、前記データ通信用ピンから入力された電圧が前記基準電圧値なら、前記コネクタに連結された外部デバイスを前記専用アダプターとして認識し、前記第１及び第２電源ピンに入力される電源を前記バッテリーに充電するように制御する制御部と；を含んでなる携帯端末。
【請求項２】
前記制御部は、
前記データ通信用ピンから入力された電圧が前記基準電圧値でなければ、前記バッテリーを充電させないことを特徴とする請求項１に記載の携帯端末。
【請求項３】
前記コネクタは、アクセサリー検出用ピンとアクセサリー識別用ピンとをさらに含み、
前記格納部は、アクセサリー識別のための参照テーブルを格納し、
前記制御部は、前記アクセサリー検出用ピンから入力される電圧が変化すれば、前記アクセサリー識別用ピンから入力された電圧と前記参照テーブルを比較し、前記コネクタに連結されたアクセサリーの種類を認識することを特徴とする請求項１に記載の携帯端末。
【請求項４】
前記制御部は、
前記アクセサリー識別用ピンから入力された電圧があらかじめ設定されたプルアップ電圧なら、前記コネクタに連結されたアクセサリーをドッキングステーションとして認識することを特徴とする請求項３に記載の携帯端末。
【請求項５】
前記制御部は、
スリープモードであるうちに、アクセサリーが前記コネクタに連結されることによってインターラプト信号が発生すれば、前記アクセサリー識別用ピンから入力される電圧を前記参照テーブルと比較し、前記コネクタに連結されたアクセサリーの種類を認識することを特徴とする請求項３に記載の携帯端末。
【請求項６】
前記コネクタの７番及び８番ピンは、第１電源ピンであり、
前記コネクタの１番、２番、１５番、１６番及び３０番ピンは、第２電源ピンであり、
前記コネクタの３番及び４番ピンは、前記データ通信用ピンであり、
前記コネクタの１３番及び１４番ピンは、それぞれ、前記アクセサリー検出用ピン及び前記アクセサリー識別用ピンであることを特徴とする請求項３に記載の携帯端末。
【請求項７】
前記アクセサリーは、
イヤホン、ヘッドホン、カメラ、キーパッド、マウス、ドッキングステーション、データケーブル、充電兼用データケーブル、アダプター、チャージャー、外部ハードディスク及びＵＳＢメモリのうち少なくとも１つを含むことを特徴とする請求項３に記載の携帯端末。
【請求項８】
前記アクセサリーは、
アクセサリータイプ別に異なる抵抗値を有するアクセサリー識別抵抗ＲＩＤを含むことを特徴とする請求項３に記載の携帯端末。
【請求項９】
前記コネクタは、
工程または開発中である場合、電源を供給されるためのバッテリーピンと、前記電源供給ピンから電源を供給されることを外部に通知するためのジグオンピンと、検査用信号を送受信するためのピンとをさらに含んでなることを特徴とする請求項１に記載の携帯端末。
【請求項１０】
前記コネクタの９番及び１０番ピンは、前記バッテリーピンであり、
前記コネクタの５番ピンは、前記ジグオンピンであり、
前記コネクタの２０番及び２１番ピンは、前記検査用信号を送受信するためのピンであることを特徴とする請求項９に記載の携帯端末。
【請求項１１】
アクセサリー検出用ピンとアクセサリー識別用ピンとを含んでなるコネクタと；
アクセサリー識別のための参照テーブルを格納する格納部と；
前記アクセサリー検出用ピンから入力される電圧が変化すれば、前記アクセサリー識別用ピンから入力された電圧と前記参照テーブルを比較し、前記コネクタに連結されたアクセサリーの種類を認識する制御部と；を含む携帯端末。
【請求項１２】
前記制御部は、
前記アクセサリー識別用ピンから入力される電圧があらかじめ設定されたプルアップ電圧なら、前記コネクタに連結されたアクセサリーをドッキングステーションとして認識することを特徴とする請求項１１に記載の携帯端末。
【請求項１３】
前記制御部は、
スリープモードであるうちに、アクセサリーが前記コネクタに連結されるによってインターラプト信号が発生すれば、前記アクセサリー識別用ピンから入力される電圧を前記参照テーブルと比較し、前記コネクタに連結されたアクセサリーの種類を認識することを特徴とする請求項１１に記載の携帯端末。
【請求項１４】
前記アクセサリーは、
イヤホン、ヘッドホン、カメラ、キーパッド、マウス、ドッキングステーション、データケーブル、充電兼用データケーブル、アダプター、チャージャー、外部ハードディスク及びＵＳＢメモリのうち少なくとも１つを含むことを特徴とする請求項１１に記載の携帯端末。
【請求項１５】
前記アクセサリーは、
アクセサリータイプ別に異なる抵抗値を有するアクセサリー識別抵抗ＲＩＤを含むことを特徴とする請求項１１に記載の携帯端末。
【請求項１６】
データ通信用ピンと、バッテリーの充電のための第１及び第２電源ピンとを含むコネクタを具備した携帯端末のインターフェース方法において、
前記第１及び第２電源ピンから電圧が入力されれば、前記データ通信用ピンから入力された電圧があらかじめ定められた基準電圧値であるかを判定する段階と；
前記データ通信用ピンから入力された電圧が前記基準電圧値なら、前記コネクタに連結された外部デバイスをバッテリーの専用アダプターとして認識する段階と；
前記コネクタに連結された外部デバイスが前記専用アダプターとして認識されれば、前記第１及び第２電源ピンから入力される電源を前記バッテリーに充電する段階と；を含むことを特徴とする携帯端末のインターフェース方法。
【請求項１７】
前記基準電圧値であるかを判断する段階は、
前記データ通信用ピンから入力された電圧が前記基準電圧値でなければ、前記バッテリーを充電させない段階をさらに含むことを特徴とする請求項１６に記載の携帯端末のインターフェース方法。
【発明の詳細な説明】
【技術分野】
【０００１】
本発明は、携帯端末及びそのインターフェース方法に関し、特に携帯端末にアダプター、ＵＳＢケーブル、ドッキングステーション及びアクセサリーなどのような外部デバイスを連結することに関する。
【背景技術】
【０００２】
スマートホン、ＰＤＡ（Ｐｅｒｓｏｎａｌ  Ｄｉｇｉｔａｌ  Ａｓｓｉｓｔａｎｔ）、ビデオゲーム機、ＤＭＢ受信機、ＭＰ３プレーヤー、カメラなどが携帯端末に該当することができる。このような携帯端末は、バッテリー充電のために充電用コネクタが必要である。また、携帯端末は、外部デバイスとデータ交換のためのコネクタを備えることが一般的である。その他、携帯端末は、その種類に応じて多様なコネクタを備えている。
【０００３】
最近、携帯端末は、インターフェースの拡張性が要求されている。例えば、携帯端末は、充電時間、バッテリーの容量などを考慮して低電圧充電用コネクタ及び高電圧充電用コネクタを備える必要がある。また、オーディオ入出力コネクタ、ビデオ入出力コネクタなど多様な種類のコネクタを備える必要がある。しかし、拡張性の要求によって様々な種類のコネクタを備えるようになれば、携帯端末の見栄えが悪くなることがある。また、サイズ及び厚さなどをデザインするにあたって、多くの制約事項がある。
【０００４】
したがって、１つのコネクタで多様なインターフェースを具現化する必要性が提起されているのが実情である。
【発明の概要】
【発明が解決しようとする課題】
【０００５】
本発明の目的は、１つのコネクタで多様なインターフェースを具現化する携帯端末及び方法を提供することにある。
【０００６】
また、本発明の他の目的は、前記１つのコネクタに連結された外部デバイスが何であるかを識別する携帯端末及び方法を提供することにある。
【課題を解決するための手段】
【０００７】
本発明の一実施例による携帯端末は、バッテリー；データ通信用ピンと、充電のための第１及び第２電源ピンとを含んでなるコネクタと；前記バッテリーの専用アダプターを示す基準電圧値を格納する格納部と；前記第１及び第２電源ピンから電圧が入力され、前記データ通信用ピンから入力された電圧が前記基準電圧値なら、前記コネクタに連結された外部デバイスを前記専用アダプターとして認識し、前記第１及び第２電源ピンに入力される電源を前記バッテリーに充電するように制御する制御部とを含む。
【０００８】
前記コネクタは、工程または開発中であるとき、電源を供給されるためのバッテリーピンと、前記電源供給ピンから電源を供給されることを外部に通知するためのジグオンピン（jig on pin）と、検査用信号を送受信するためのピンとをさらに含むとよい。
【０００９】
本発明の他の実施例による携帯端末は、アクセサリー検出用ピンとアクセサリー識別用ピンを含んでなるコネクタと；アクセサリー識別のための参照テーブルを格納する格納部と；前記アクセサリー検出用ピンから入力される電圧が変化すれば、前記アクセサリー識別用ピンから入力された電圧と前記参照テーブルを比較し、前記コネクタに連結されたアクセサリーの種類を認識する制御部と；を含んでなる。
【００１０】
本発明の一実施例によるインターフェース方法は、データ通信用ピンと、バッテリーの充電のための第１及び第２電源ピンとを含むコネクタを備えた携帯端末のインターフェース方法において、前記第１及び第２電源ピンから電圧が入力されれば、前記データ通信用ピンから入力された電圧があらかじめ定められた基準電圧値であるかを判定する段階と；前記データ通信用ピンから入力された電圧が前記基準電圧値なら、前記コネクタに連結された外部デバイスをバッテリーの専用アダプターとして認識する段階と；前記コネクタに連結された外部デバイスが前記専用アダプターとして認識されれば、前記第１及び第２電源ピンから入力される電源を前記バッテリーに充電する段階と；を含むことを特徴とする。
【発明の効果】
【００１１】
以上より、本発明は、１つのコネクタで多様なインターフェースを具現化し、コネクタに連結される外部デバイスの種類を識別することができるという効果がある。また、本発明は、１つのコネクタを、製品を開発する段階から生産までの検査ポートとして活用し、最終消費者が使用するときには、多様なアクセサリーを連結して使用することができるという効果がある。また、本発明は、１つのコネクタに多様な種類のアダプターを連結し、バッテリーを充電することができるという効果がある。
【図面の簡単な説明】
【００１２】
【図１】図１は、本発明の一実施例による雄コネクタの正面図（ａ）と平面図（ｂ）である。
【図２】図２は、本発明の一実施例による雌コネクタの斜視図（ａ）、正面図（ｂ）及び斜視図（ａ）に示された点線Ａ−Ａ’ に沿って切断した雌コネクタの切断面図（ｃ）である。
【図３】図３は、本発明の一実施例によるアダプター及び携帯端末のブロック構成図である。
【図４】図４は、本発明の一実施例による携帯端末のインターフェース方法を説明するためのフローチャートである。
【図５】図５は、本発明の一実施例によるアクセサリーと本発明の他の実施例による携帯端末のブロック構成図である。
【図６】図６は、本発明の一実施例によるドッキングステーションのブロック構成図である。
【図７】図７は、本発明の他の実施例によるインターフェース方法を説明するためのフローチャートである。
【図８】図８は、本発明のさらに他の実施例によるインターフェース方法を説明するためのフローチャートである。
【図９】図９は、本発明のさらに他の実施例による携帯端末と本発明の他の実施例によるドッキングステーションのブロック構成図である。
【図１０】図１０は、本発明の一実施例によるキーパッドと本発明のさらに他の実施例による携帯端末のブロック構成図である。
【発明を実施するための形態】
【００１３】
以下、添付の図面を参照して本発明の好ましい実施例によって携帯端末及びそのインターフェース方法について詳細に説明する。但し、本発明を説明するにあたって、関連された公知機能または構成に対する具体的な説明が本発明の要旨を不明瞭にするおそれがあると判断される場合、その詳細な説明を省略する。
【００１４】
本発明の詳細な説明に先立って、以下で使用される用語や単語は、通常の意味や辞書的な意味に限定して解釈されるべきものではなく、本発明の技術的思想に符合する意味や概念として解釈されるべきものである。したがって、本明細書と図面は、本発明の好ましい実施例に過ぎないもので、本発明の技術的思想をすべて代弁するものではないので、本出願時点においてこれらを代替することができる多様な均等物と変形例があり得ることを理解しなければならない。
【００１５】
図１は、本発明の一実施例による雄コネクタの正面図（ａ）と平面図（ｂ）である。
【００１６】
図１に示されたように、本発明による雄コネクタ１０は、ハウジング１１と、ハウジング１１の内部に配置されるピン保持部１２と、ピン保持部１２に形成された多数の溝１２ａに配置される多数のピン１３と、ハウジング１１の両側面に配置される弾性部１４と、ハウジング１１を支持するフレーム１５とを含むとよい。
【００１７】
前述した構成で、ハウジング１１は、図１（ａ）に示されたように、雌コネクタとの接続のために正面が開放されている。ハウジング１１の内部には、ピン保持部１２が上面に配置される。また、ハウジング１１は、後述する雌コネクタ側のピン保持部がハウジング１１の内部に挿入され、雄コネクタ１０側のピン保持部１２に当接することができるように空間１１ａを形成する。
【００１８】
ピン保持部１２は、多数のピン１３が配置される多数の溝１２ａを形成し、多数の溝１２ａの個数は、３０個とすることができる。しかし、このような数字は、制限的なものではなく、設計変更事項である。ここで、多数の溝１２ａのすべてにピンが配置されてもよく、図１（ａ）に示されたように、いくつかにのみ配置されてもよい。言い換えれば、雄コネクタ１０の用途によってピンの数が決定されるとよい。例えば、雄コネクタ１０を備えたケーブルがデータ通信用に限定される場合、敢えて多数の溝１２ａすべてにピンが配置される必要はなく、該当する溝にのみピンが配置されれば十分である。
【００１９】
多数のピン１３は、弾性を有し、図１（ａ）に示されたように、多数の溝１２ａから外部に一部が突出されていることが好ましい。これは、雌コネクタ側のピン保持部がハウジング１１内部に挿入されるとき、雌コネクタ側のピンに密着するようにするためである。
【００２０】
弾性部１４は、雄コネクタ１０が雌コネクタに堅固に嵌着するようにするためのものである。弾性部１４は、ハウジング１１の両側面に形成された溝（図示せず）に配置され、その一部は、図１（ａ）及び図１（ｂ）に示されたように、突出される。
【００２１】
図２は、本発明の一実施例による雌コネクタの斜視図（ａ）、正面図（ｂ）及び斜視図（ａ）に示された点線Ａ−Ａ’に沿って切断した雌コネクタの切断面図（ｃ）である。
【００２２】
図２に示されたように、本発明による雌コネクタ２０は、ハウジング２１と、ハウジング１１の内部に配置されるピン保持部２２と、ピン保持部２２に形成された多数の溝２２ａに配置される多数のピン２３とを含むとよい。
【００２３】
前述した構成で、ハウジング２１は、雄コネクタ１０のハウジング１１が雌コネクタ２０のハウジング２１の内部に嵌着することができるように、図２（ａ）及び図２（ｂ）に示されたように、正面が開放されていて、空間２１ａを形成する。また、ハウジング２１内部の両側面には、図２（ｂ）に示されたように、雄コネクタ１０の弾性部１４が嵌着する溝２１ｂが形成されている。このように弾性部１４が溝２１ｂに嵌着することによって、雄コネクタ１０を抜き出しない限り、雄コネクタ１０が雌コネクタ２０に堅固に嵌着するようになる。
【００２４】
ピン保持部２２は、多数のピン２３が配置される多数の溝２２ａを形成し、多数の溝２２ａの個数は、雄コネクタ１０の多数の溝１２ａの数と同一である。多数の溝２２ａには、図２（ｂ）に示されたように、すべてピンが配置されてもよく、いくつかにのみ配置されてもよい。通常、携帯端末は、雄コネクタ１０よりは、雌コネクタ２０を搭載することが多い。したがって、インターフェースの拡張性のために、多数の溝２２ａにすべてピンが配置されることが好ましい。
【００２５】
多数のピン２３は、ピン保持部２２の内部に配置されるもので、雄コネクタ１０のハウジング１１が雌コネクタ２０のハウジング２１の内部に嵌着するとき、雄コネクタ１０の多数のピン１３に接触する。
【００２６】
下記の表１は、本発明の一実施例によるピンの機能（ｆｕｎｃｔｉｏｎ）を説明する表である。表１から明らかなように、本発明の一実施例によるピンの個数は、３０個であり、前述したコネクタ１０、２０に一部または全部が配置される。下記の表１で、ピンナンバー（Ｐｉｎ  Ｎｏ．）は、コネクタでのピンの位置を意味する。すなわち、ピンナンバーが１番であるピンは、コネクタ１０、２０のピン保持部１２、２２の最右側に形成された溝に位置し、ピンナンバーが３０番であるピンは、最左側に形成された溝に位置するものである。
【００２７】
【表１】
2014510491.tif 000003
【００２８】
以下では、前述したコネクタ及び表１に基づいて本発明の実施例によるアダプター、ドッキングステーション、アクセサリー及び携帯端末を具体的に説明する。
【００２９】
図３は、本発明の一実施例によるアダプター及び携帯端末のブロック構成図である。
【００３０】
図３に示されたように、本発明の一実施例によるアダプター３０は、ＡＣ電源を供給するアウレット（ｏｕｔｌｅｔ）などに接続するプラグ３１と、プラグ３１から入力されたＡＣ電源をＤＣ電源（例えば、５Ｖ／２Ａ）に変換するコンバータ３２と、１、２、３、４、７及び８番ピンを具備したコネクタ３３と、コンバータ３２から入力されたＤＣ電源を例えば、１．１６Ｖに降圧して３番及び４番ピンに出力し、ＤＣ電源をグラウンドＧＮＤに降圧して１及び２番ピンに出力する降圧回路３４とを含むとよい。ここで、コンバータ３２でコンバートされたＤＣ電源は、７番及び８番ピンにそのままバイパス（ｂｙｐａｓｓ）される。
【００３１】
また、アダプター３０は、大容量充電用に使用されるとよい。コンバータ３２は、大容量充電のために、ＡＣ電源を、例えば、１２Ｖ／２Ａ、１２Ｖ／５Ａなどに変換し、７番及び８番ピンの代わりに、大容量充電用ピンである１２番及び１３番ピンに出力することができる。また、アダプター３０は、前記コンバータ３２とは別に、大容量充電用コンバータをさらに備えることができる。このような大容量充電用コンバータは、１２番及び１３番ピンに連結されるとよい。また、アダプター３０は、前記コネクタ３３とは別に、１つのコネクタをさらに具備し、２つのデバイス間にデータ通信が可能にするデータケーブルとして活用されてもよい。これにより、アダプター３０は、コネクタ３３の３番及び４番ピンを介してデータを送受信することができる。
【００３２】
次に、図３に示されたように、本発明の一実施例による携帯端末４０は、コネクタ４１、バッテリー４２、格納部４４及びコネクタ４１に連結された外部デバイスが何であるかを識別し、識別された情報に基づいてバッテリー４２を充電する制御部４３を含んでなることができる。ここで、コネクタ４１は、インターフェースの拡張性のために３０個のピンをすべて備えることが好ましい。
【００３３】
具体的に、制御部４３の主な機能は、次の通りである。制御部４３は、１番及び２番ピンに連結された電圧バスＶＢＵＳに電圧が印加されれば、３番及び４番ピンにそれぞれ連結されたＵＳＢ  Ｄ＋及びＤ−ラインを介して差動信号（ｄｉｆｆｅｒｅｎｔｉａｌ  ｓｉｇｎａｌ）が入力されるかどうかを判断する。差動信号の入力がなければ、制御部４３は、連結された外部デバイスをアダプターとして認識し、差動信号の入力があれば、充電兼用ＵＳＢデータケーブルとして認識した後、７番及び８番ピンから入力される充電電力が定格電力の範囲、例えば、５Ｗ〜２０Ｗに属すれば、バッテリー４２を充電する。一方、制御部４３は、７番及び８番ピンから入力される充電電力が定格電力の範囲から外れる場合、バッテリー４２を充電しない。例えば、５Ｗより低ければ、充電時間が長く所要されるものと認識し、バッテリー４２を充電しない。２０Ｗより高ければ、過充電によりバッテリー寿命が短縮されると認識し、バッテリー４２を充電しない。
【００３４】
また、制御部４３は、連結されたアダプターが携帯端末４０の定格電力などに適した専用アダプターであるか否かを判定する。判定の結果、専用アダプターなら充電し、非専用アダプターなら充電をしなくてもよい。具体的に、制御部４３は、前述した過程によって外部デバイスがアダプターであると認識した場合、ＵＳＢ  Ｄ＋及びＤ−ラインの電圧を確認する。制御部４３は、確認された電圧が、例えば、あらかじめ設定された誤差範囲を勘案して１．１６Ｖなら、連結されたアダプターを専用アダプターとして認識する。ここで、基準電圧値１．１６Ｖは、格納部４４に格納されている値である。すなわち、制御部４３は、ＵＳＢ  Ｄ＋及びＤ−ラインの電圧を格納部４４に格納された基準電圧値と比較して、一致すれば、コネクタ４１に連結されたアダプターを専用アダプターとして認識する。一方、１．１６Ｖではない場合、非専用アダプターとして認識し、充電をしなくてもよい。但し、非専用アダプターであっても、充電をしてもよい。例えば、７番及び８番ピンから入力される充電電力が定格電力の範囲に属すれば、バッテリー４２を充電することもできる。
【００３５】
また、制御部４３は、電圧または電流を低めるかまたは高めることによって、バッテリー４２を充電する充電回路を含むとよい。このような充電回路は、携帯端末４０の代わりに、アダプター３０に備えられることができ、このようなアダプターは、充電回路無しのアダプターと区分するために、通常、チャージャー（ｃｈａｒｇｅｒ）と称する。
【００３６】
また、制御部４３は、１２番及び１３番ピンから入力される充電電力を利用してバッテリー４２を短時間に充電することもできる。但し、制御部４３は、前述したように、例えば、充電電力が３０Ｗ以上なので、バッテリー４２の過充電が憂慮される場合、電圧または電流を低めることができる。
【００３７】
また、制御部４３は、９番及び１０番ピンから電源を供給されてもよい。このように供給された電源は、携帯端末４０の製造過程または携帯端末４０を開発する中である場合に使用されるものなので、この電源では、バッテリー４２を充電しない。制御部４３は、９番及び１０番ピンから電源を供給される場合、テスト中であることを示す信号を、５番ピンを通じて外部デバイスに出力する。また、制御部４３は、携帯端末４０がテスト中である場合、２０番及び２１番ピンを介して検査用信号であるＵＡＲＴ信号を送受信することができる。
【００３８】
図４は、本発明の一実施例による携帯端末のインターフェース方法を説明するためのフローチャートである。
【００３９】
ステップ５１で、制御部４３は、ＶＢＵＳラインを介して電圧が印加されるかどうかを判定する。ステップ５１での判定の結果、電圧が印加される場合には、ステップ５２に進行し、Ｄライン（ＵＳＢ  Ｄ＋及びＤ−ライン）を介してデータ（差動信号）が入力されるかどうかを判定する。ステップ５２での判定の結果、データ入力がある場合には、ステップ５３で、制御部４３は、コネクタ４１に連結された外部デバイスをＵＳＢデータケーブルとして認識した後、ステップ５４に進行する。ステップ５４で、制御部４３は、充電可否を判定する。ここで、充電可否は、前述したとおりである。したがって、以下の説明でも省略する。ステップ５４での判定の結果、充電が可能であれば、ステップ５８に進行し、バッテリー４２を充電する。
【００４０】
ステップ５２での判定の結果、データ入力がない場合には、ステップ５５で、制御部４３は、コネクタ４１に連結された外部デバイスをアダプターとして認識した後、ステップ５６に進行する。ステップ５６で、制御部４３は、Ｄラインの電圧が基準電圧値、例えば、１．１６Ｖであるかを判定する。ステップ５６での判定の結果、Ｄラインの電圧が基準電圧値である場合には、ステップ５７で、制御部４３は、連結されたアダプターを専用アダプターとして認識した後、ステップ５８に進行し、バッテリー４２を充電する。
【００４１】
ステップ５６での判定の結果、Ｄラインの電圧が基準電圧値ではない場合には、ステップ５９で、制御部４３は、連結されたアダプターを非専用アダプターとして認識した後、ステップ６０に進行する。ステップ６０で、制御部４３は、充電可否を判断する。ステップ６０での判定の結果、充電が可能であれば、ステップ５８に進行し、バッテリー４２を充電する。
【００４２】
図５は、本発明の一実施例によるアクセサリーと本発明の他の実施例による携帯端末のブロック構成図である。
【００４３】
図５に示されたように、本発明の一実施例によるアクセサリー６０は、コネクタ６１とアクセサリー識別抵抗ＲＩＤ  ６２とを含むとよい。アクセサリー６０は、携帯端末７０の機能や効果を増大させるか、または変化を与える付属品と言える。例えば、イヤホン、ヘッドホン、カメラ、キーパッド、マウス、ドッキングステーション、データケーブル、充電兼用データケーブル、アダプター、チャージャー、外装ハードディスク、ＵＳＢメモリなどがアクセサリー６０に該当することができる。
【００４４】
前述した構成で、コネクタ６１は、１３番及び１４番ピンを含むとよい。また、１３番ピンは、アクセサリー識別抵抗ＲＩＤ  ６２を介してグラウンドに連結される。１４番ピンは、直接グラウンドに連結される。また、コネクタ６１は、これらピン以外に、少なくとも１つのピンをさらに含んでもよい。例えば、アクセサリー６０がイヤホンの場合、２７番及び２８番ピンをさらに含む。また、アクセサリー６０がカメラの場合、３番及び４番ピンをさらに含む。また、アクセサリー６０に電源供給が必要な場合、１番、２番及び６番ピンをさらに含む。
【００４５】
アクセサリー識別抵抗６２は、アクセサリーごとに値が異なる。例えば、下記の表２の通りである。
【００４６】
【表２】
2014510491.tif 000004
【００４７】
次に、図５に示されたように、本発明の他の実施例による携帯端末７０は、コネクタ７１と、格納部７２と、比較器７３と、ＡＤＣ  ７８と、コネクタ７１に連結されたアクセサリーの種類を識別する制御部７４とを含むとよい。ここで、コネクタ７１は、インターフェースの拡張性のために３０個のピンをすべて備えることが好ましい。
【００４８】
具体的に、制御部７４の主な機能は、次の通りである。制御部７４は、１４番ピンに連結されたアクセサリー検出ライン７５の電圧レベルがハイレベルＶｃｃからロウレベルＧＮＤに切り替えられれば、コネクタ７１にアクセサリー６０が連結されたものと認識する。ここで、アクセサリー検出ラインは、図５に示されたように、制御部７４を１４番ピンとＶｃｃに連結するものである。
【００４９】
また、制御部７４は、携帯端末７０がスリープ（Ｓｌｅｅｐ）モードであるうちに、比較器７３から入力される電圧レベルがロウからハイへ切り替えられれば、言い換えれば、比較器７３からインターラプト信号が入力されれば、ウェークアップ（Ｗａｋｅ−ｕｐ）する。ここで、比較器７３の（−）入力端子は、１３番ピンに連結され、また、プルアップ（Ｐｕｌｌ−ｕｐ）抵抗（例えば、１０ＫΩ）を介してプルアップ電圧（例えば、３．３Ｖ）に連結される。比較器７３の(＋)入力端子は、基準電圧（例えば、３．１５Ｖ）に連結される。比較器７３は、（＋）端子から入力される基準電圧と（−）端子から入力される電圧（３．３ＶまたはＶＲＩＤ）を比較し、基準電圧が高ければ、ハイレベル信号を出力し、そうでなければ、ロウレベル信号を出力する。ここで、ＶＲＩＤは、識別抵抗ＲＩＤ ６２の両端にかかる電圧を意味する。
【００５０】
また、制御部７４は、１３番ピンに連結されたアクセサリー識別ライン７６から入力される電圧と参照テーブル７２ａを比較し、コネクタ７１に連結されたアクセサリー６０が何であるかを認識する。ここで、アクセサリー識別ライン７６は、図５に示されたように、一端がＡＤＣ ７８に連結され、他端が、１３番ピンとプールアップ抵抗を連結する線に連結される。ＡＤＣ ７８は、入力された信号をＡＤ（Ａｎａｌｏｇ  ｔｏ  ｄｉｇｉｔａｌ）に変換し、制御部７４に出力する。制御部７４は、ＡＤＣ ７８から入力されたデジタル信号を分析し、電圧を計算する。ＡＤＣ ７８は、制御部７４内に備えられることができる。参照テーブル７２ａは、格納部７２に格納されているもので、前述した表２の通りである。本発明によれば、アクセサリー６０は、その種類別にＲＩＤ６２が異なる。したがって、コネクタ７１に連結されたアクセサリー別にアクセサリー識別ライン７６を介して制御部７４に入力される電圧は、異なる。例えば、制御部７４は、アクセサリー検出ライン７５の電圧レベルがロウの状態で、アクセサリー識別ライン７６から入力される電圧が３．３Ｖなら、連結されたアクセサリーをドッキングステーションとして認識し、２．２Ｖなら、カメラコネクションキットとして認識する。
【００５１】
図６は、本発明の一実施例によるドッキングステーションのブロック構成図である。
【００５２】
図６に示されたように、本発明の一実施例によるドッキングステーション８０は、他のアクセサリー６０を携帯端末７０に連結するものである。ドッキングステーション８０は、他のアクセサリー６０に連結される第１コネクタ８１と、携帯端末７０に連結される第２コネクタ８２とを含むとよい。第１コネクタ８１は、１３番ピンと１つ以上の他のピンを含む。第２コネクタ８２は、１３番及び１４番ピンと１つ以上の他のピンを含む。第１コネクタ８１の１３番ピンと第２コネクタ８２の１３番ピンは、別途の抵抗なく、互いに連結される。第２コネクタ８２の１４番ピンは、グラウンドに連結される。
【００５３】
制御部７４は、アクセサリー検出ライン７５の電圧レベルが“ハイ”であり、アクセサリー識別ライン７６から印加される電圧がプルアップ電圧（３．３Ｖ）なら、コネクタ７１にドッキングステーション８０が連結されたものと認識し、また、ドッキングステーション８０には、他のアクセサリー６０が連結されていないものと認識する。
【００５４】
また、制御部７４は、アクセサリー検出ライン７５の電圧レベルが“ハイ”であり、アクセサリー識別ライン７６から印加される電圧がプルアップ電圧（３．３Ｖ）ではない状態で、アクセサリー識別ライン７６から印加される電圧がプルアップ電圧（３．３Ｖ）に変わるようになれば、ドッキングステーション８０から他のアクセサリー６０が除去されたものと認識する。
【００５５】
図７は、本発明の他の実施例によるインターフェース方法を説明するためのフローチャートである。図７は、制御部７４がアクセサリー検出ライン７５の電圧レベルの変化を感知することができる活性化モードの状態で開始するものと仮定する。また、図７は、ユーザがアクセサリー６０を携帯端末７０に連結するケース、ドッキングステーション８０を携帯端末７０に連結した後、ドッキングステーション８０にアクセサリー６０を連結するケース及びドッキングステーション８０にアクセサリー６０を連結した後、ドッキングステーション８０を携帯端末７０に連結するケースのうち１つである場合のフローであると仮定する。
【００５６】
ステップ９１で、制御部７４は、アクセサリー検出ライン７５の電圧レベルがロウであるかを判定する。ステップ９１での判定の結果、ロウなら、ステップ９２に進行する。ステップ９２で、制御部７４は、アクセサリー識別ライン７６の電圧がプルアップ電圧（３．３Ｖ）であるかを判定する。
【００５７】
ステップ９２での判定の結果、プルアップ電圧なら、ステップ９３に進行する。ステップ９３で、制御部７４は、コネクタ７１に連結されたアクセサリーをドッキングステーション８０として認識した後、ステップ９４に進行する。ステップ９４で、制御部７４は、識別ライン７６の電圧がプルアップ電圧（３．３Ｖ）に維持されているかどうかを判定する。ステップ９４での判定の結果、電圧が変わった場合には、ステップ９５に進行する。ステップ９５で、制御部７４は、ドッキングステーション８０に連結されたアクセサリー６０が何であるかを認識した後、ステップ９６に進行する。ステップ９６で、制御部７４は、識別ライン７６の電圧がプルアップ電圧であるかを判定する。ステップ９６での判定の結果、プルアップ電圧の場合には、ステップ９７に進行する。ステップ９７で、制御部７４は、検出ライン７５の電圧レベルがハイであるかを判定する。ステップ９７での判定の結果、ハイの場合には、ドッキングステーション８０及びアクセサリー６０との連結が解除されたものと認識し、終了する。ステップ９７での判定の結果、ハイではなく、ロウの場合には、ステップ９８に進行する。ステップ９８で、制御部７４は、ドッキングステーション８０からアクセサリー６０が除去されたものと認識し、ステップ９３に進行する。
【００５８】
一方、ステップ９２での判断結果、プルアップ電圧ではなければ、ステップ９９に進行する。ステップ９９で、制御部７４は、参照テーブル７２ａを参照してコネクタ７１に連結されたアクセサリーが何であるかを認識した後、ステップ９６に進行する。この際、コネクタ７１は、直接アクセサリー６０が連結されている状態であるか、またはドッキングステーション８０を介してアクセサリー６０に連結されている状態である。
【００５９】
図８は、本発明のさらに他の実施例によるインターフェース方法を説明するためのフローチャートである。
【００６０】
ステップ１０１で、制御部７４は、例えば、ユーザインターフェース手段（例えば、タッチスクリーンなど）を介してユーザの入力があらかじめ定められた時間の間に行われない場合、携帯端末７０の動作モードを活性化モードからスリープモードに切り替える。ここで、スリープモードは、バッテリー資源の節約などのために最小限の機能だけが行われるモードとして定義されるとよい。例えば、制御部７４は、スリープモードの場合には、画面をオフ（ＯＦＦ）させる。また、制御部７４は、検出ライン７５の電圧レベル変動に反応しない。
【００６１】
ステップ１０２で、制御部７４は、比較器７３からインターラプト信号が入力されれば、スリープモードを解除した後、ステップ１０３に進行する。ステップ１０３で、制御部７４は、参照テーブル７２ａを参照してコネクタ７１に連結されたアクセサリーを認識する。この際、コネクタ７１は、直接アクセサリー６０が連結されている状態であるか、またはドッキングステーション８０を介してアクセサリー６０に連結されている状態である。
【００６２】
図９は、本発明のさらに他の実施例による携帯端末と本発明の他の実施例によるドッキングステーションのブロック構成図である。
【００６３】
本発明のさらに他の実施例による携帯端末１１０は、１７番、１８番及び１９番ピンを含んでなるコネクタ１１１と、ＭＨＬ（Ｍｏｂｉｌｅ  Ｈｉｇｈ−ｄｅｆｉｎｉｔｉｏｎ  Ｌｉｎｋ）タイプのオーディオ／ビデオ信号の出力を制御する制御部１１２とを含む。ここで、ＭＨＬ識別ライン１１３は、図９に示されたように、制御部１１２を９番ピンとＶｃｃに連結するものである。
【００６４】
本発明の他の実施例によるドッキングステーション１２０は、１７番、１８番及び１９番ピンを含むコネクタ１２１と、ＭＨＬをＨＤＭＬ（Ｈｉｇｈ−Ｄｅｆｉｎｉｔｉｏｎ  Ｍｕｌｔｉｍｅｄｉａ  Ｉｎｔｅｒｆａｃｅ）に変換し、ＨＤＭＩ(登録商標)端子１２３に出力するエンコーダー１２２と、ＨＤＭＬケーブルに連結されるＨＤＭＩ(登録商標)端子１２３とを含む。
【００６５】
制御部１１２は、ＭＨＬ識別ライン１１３の電圧レベルがハイからロウに変わるようになれば、コネクタ１１１にエンコーダー１２２を具備したドッキングステーション１２０が連結されたものと認識し、ＭＨＬを１７番及び１８番ピンを介してドッキングステーション１２０に出力する。
【００６６】
図１０は、本発明の一実施例によるキーパッドと本発明のさらに他の実施例による携帯端末のブロック構成図である。
【００６７】
図１０に示されたように、本発明の一実施例によるキーパッド１３０は、２４番ピンを含んでなるコネクタ１３１と、多数のスイッチ１３２と、多数の抵抗Ｒ１、Ｒ２、Ｒ３…Ｒｎを含むとよい。図１０に示されるように、多数のスイッチ１３２と多数の抵抗Ｒ１、Ｒ２、Ｒ３…Ｒｎは、それぞれ、１つのセットよりなり、一端がグラウンドに、他端が２４番ピンに連結される。ここで、多数の抵抗Ｒ１、Ｒ２、Ｒ３…Ｒｎに対するそれぞれのキー値の定義は、例えば、次の表３の通りである。
【００６８】
【表３】
2014510491.tif 000005
【００６９】
次に、図１０に示されるように、本発明のさらに他の実施例による携帯端末１４０は、２４番ピンを含むコネクタ１４１と、コネクタ１４１に連結されたキーパッド１３０を認識する制御部１４２と、前述した表３のようなキー値参照テーブル１４３ａを格納する格納部１４３と、キーパッド１３０がコネクタ１４１に接続されれば、インターラプト信号を発生し、制御部１４２に出力する比較器１４４と、２４番ピンから入力される信号をＡＤ変換し、制御部１４２に出力するＡＤＣ１４５とを含むとよい。
【００７０】
具体的に、制御部１４２は、ユーザがキーパッド１３０を押圧することによって、比較器１４４からインターラプト信号が入力されれば、キー値検出ライン１４５から入力される電圧をキー値参照テーブル１４３ａと比較し、ユーザが押圧したキーが何であるかを認識する。
【００７１】
本発明の携帯端末及びそのインターフェース方法は、前述した実施例に限定されず、本発明の技術思想が許容する範囲で多様に変形して実施することができる。
【符号の説明】
【００７２】
１０  雄コネクタ
２０  雌コネクタ
１１、２１  ハウジング
１２、２２  ピン保持部
１３、２３  ピン
１４  弾性部
１５  フレーム
３０  アダプター
３１  プラグ
３２  コンバータ
３３  コネクタ
３４  降圧回路
４０、７０、１１０、１４０  携帯端末
４１、７１、１１１、１４１  コネクタ
４２  バッテリー
４３、７４、１１２、１４２  制御部
４８、７２、１４３  格納部
７３、１４４  比較器
７８、１４５  ＡＤＣ
６０  アクセサリー
６１  コネクタ
６２  識別抵抗
８０、１２０  ドッキングステーション
８１  第１コネクタ
８２  第２コネクタ
１２１  コネクタ
１２２  エンコーダー
１２３  ＨＤＭＩ(登録商標)端子
１３０  キーパッド
１３１  コネクタ
１３２  スイッチ
【図１】
2014510491.tif 000006
【図２】
2014510491.tif 000007
【図３】
2014510491.tif 000008
【図４】
2014510491.tif 000009
【図５】
2014510491.tif 000010
【図６】
2014510491.tif 000011
【図７】
2014510491.tif 000012
【図８】
2014510491.tif 000013
【図９】
2014510491.tif 000014
【図１０】
2014510491.tif 000015
【国際調査報告】
2014510491.tif 000016
2014510491.tif 000017